(57)【要約】【課題】虫や埃が侵入することを抑制しつつ、複数の照明ユニット１００の電気的及び機械的な接続を簡単に行うことができる照明装置を提供する。【解決手段】長尺状の照明ユニット１００と、照明ユニット１００の長手方向の一方の端部に設けられた第１の連結部２１０及び第２の連結部２２０と、照明ユニット１００の長手方向の他方の端部に設けられた第１の被連結部３１０及び第２の被連結部３２０とを備え、照明ユニット１００は、隔壁を隔てて照明ユニット１００の幅方向に分けられた第１のハウジング領域Ａ１と第２のハウジング領域Ａ２とを有し、第１の連結部２１０及び第１の被連結部３１０の各々は、互いに電気的接続が可能な構造を有し、かつ、第１のハウジング領域Ａ１と重なる位置に設けられ、第２の連結部２２０及び第２の被連結部３２０は、互いに機械的接続が可能な構造を有し、かつ、第２のハウジング領域Ａ２と重なる位置に設けられている。【選択図】図５
2018185910.tif 000002
【特許請求の範囲】
【請求項１】
光源を収納し、前記光源の光を透過する透光部を有する長尺状の照明ユニットと、
前記照明ユニットの長手方向の一方の端部に設けられた第１の連結部及び第２の連結部と、
前記照明ユニットの長手方向の他方の端部に設けられた第１の被連結部及び第２の被連結部とを備え、
前記照明ユニットは、隔壁を隔てて前記照明ユニットの幅方向に分けられた第１のハウジング領域と第２のハウジング領域とを有し、
前記第１のハウジング領域には、前記光源が配置され、
前記第１の連結部及び前記第１の被連結部の各々は、互いに電気的接続が可能な構造を有し、かつ、前記照明ユニットの長手方向からの側面視において、前記第１のハウジング領域と重なる位置に設けられ、
前記第２の連結部及び前記第２の被連結部は、互いに機械的接続が可能な構造を有し、かつ、前記照明ユニットの長手方向からの側面視において、前記第２のハウジング領域と重なる位置に設けられている、
照明装置。
【請求項２】
前記照明ユニットの上面視において、前記第１の連結部と前記第２の連結部とは、前記幅方向に並んで設けられている、
請求項１に記載の照明装置。
【請求項３】
さらに、前記照明ユニットは、前記光源を発光させるための電力を生成する電源を収納し、
前記第１のハウジング領域は、前記光源が配置された光源領域と前記電源が配置された電源領域とを有し、
前記光源領域と前記電源領域とは、前記照明ユニットの幅方向に並んで位置し、
前記第１の連結部及び前記第１の被連結部は、前記照明ユニットの長手方向からの側面視において、前記電源領域に重なる位置に設けられている、
請求項１又は２に記載の照明装置。
【請求項４】
前記第２の連結部は、前記照明ユニットの外方に向けて前記照明ユニットの長手方向に突出する突出部と、前記突出部に設けられた爪部とを有し、
前記第２の被連結部は、前記突出部が挿入可能な挿入孔と、前記爪部が係止可能な係止穴とを有する、
請求項１〜３のいずれか１項に記載の照明装置。
【請求項５】
前記挿入孔は、前記照明ユニットの長手方向の側面に設けられ、
前記係止穴は、前記照明ユニットの上面に設けられている、
請求項４に記載の照明装置。
【請求項６】
前記第１の連結部は、オスコネクタであり、
前記第１の被連結部は、前記オスコネクタに電気的及び機械的に連結可能な構造を有するメスコネクタである、
請求項１〜５のいずれか１項に記載の照明装置。
【請求項７】
前記照明ユニットの長手方向の一方の端部の上部には、当該長手方向に凹む第１の段差部が設けられ、
前記照明ユニットの長手方向の他方の端部の上部には、当該長手方向に凹む第２の段差部が設けられており、
前記照明ユニットの長手方向からの側面視において、前記第１の段差部と前記第２の段差部とは、少なくとも一部が重なっている
請求項１〜６のいずれか１項に記載の照明装置。
【請求項８】
前記照明ユニットは、前記透光部を有する長尺状の筐体と、前記筐体の長手方向の一方の端部に取り付けられた第１のエンドカバーと、前記筐体の長手方向の他方の端部に取り付けられた第２のエンドカバーとを有し、
前記第１の連結部と前記第２の連結部とは、前記第１のエンドカバーに設けられている、
請求項１〜７のいずれか１項に記載の照明装置。
【請求項９】
前記第１のエンドカバー及び前記第２のエンドカバーの各々は、前記第１のハウジング領域及び前記第２のハウジング領域の長手方向の端部を塞いでいる、
請求項８に記載の照明装置。
【請求項１０】
さらに、前記照明装置を造営材に取り付けるための取付板を備え、
前記筐体の上部には、前記筐体の幅方向の外側に庇状に突出する庇部が設けられ、
前記取付板は、前記筐体の裏面側を支持する支持部及び前記筐体の幅方向の外側にはみ出すはみ出し部を有する第１の板部と、前記はみ出し部に立設する第２の板部とを有し、
前記照明ユニットの長手方向に交差する断面において、前記第２のハウジング領域は、前記はみ出し部と前記第２の板部と前記庇部と前記筐体の側壁とで囲まれる領域である、
請求項８又は９に記載の照明装置。
【請求項１１】
前記筐体は、前記透光部及び遮光部を有する長尺状のカバーと、前記カバーに対向する長尺状の基体とを有し、
前記第２のハウジング領域には、前記カバーと前記基体とを固定するためのネジのネジ頭が位置している、
請求項８〜１０のいずれか１項に記載の照明装置。
【請求項１２】
前記第２のハウジング領域には、前記照明装置を造営材に取り付けるための取付部材が配置されている、
請求項１〜１１のいずれか１項に記載の照明装置。
【発明の詳細な説明】
【技術分野】
【０００１】
本発明は、照明装置に関する。
【背景技術】
【０００２】
近年、ＬＥＤ（Ｌｉｇｈｔ  Ｅｍｉｔｔｉｎｇ  Ｄｉｏｄｅ）を用いた照明装置が普及している。従来、この種の照明装置として、長尺状の筐体と、筐体内に直線状に配置された複数のＬＥＤモジュールとを備える長尺状のＬＥＤ照明が知られている（例えば特許文献１）。
【０００３】
また、長尺状のＬＥＤ照明を実現するために、光源が収納された長尺状の照明ユニットを直線状に複数連結する技術も提案されている（例えば、特許文献２）。
【先行技術文献】
【特許文献】
【０００４】
【特許文献１】特開２０１２−８４３６７号公報
【特許文献２】特開２００９−９９３６３号公報
【発明の概要】
【発明が解決しようとする課題】
【０００５】
光源が収納された照明ユニットを直線状に複数連結する場合、隣り合う２つの照明ユニットを電気的に接続するだけではなく機械的にも接続する場合がある。
【０００６】
この場合、例えば、照明ユニットの長手方向の一方の端部にオスコネクタを設けるとともに他方の端部にメスコネクタとを設けておき、２つの照明ユニットの一方の照明ユニットのオスコネクタと他方の照明ユニットのメスコネクタとを接続することで、２つの照明ユニットを電気的及び機械的に接続することが考えられる。つまり、電気的な接続を行うためのオスコネクタ及びメスコネクタに、２つの照明ユニットの機械的な接続を行うための構造を設けている。
【０００７】
しかしながら、電気的な接続を行うためのオスコネクタ及びメスコネクタに、２つの照明ユニットを機械的に接続するための構造を設けると、オスコネクタ及びメスコネクタに隙間が生じ、この隙間から照明ユニット内に虫や埃が侵入するおそれがある。この結果、照明ユニット内に侵入した虫や埃によって、配線等の導電部分がショートしたり電子部品が劣化したりするおそれがある。また、侵入した虫の死骸（黒い粒々）によって照明ユニットの見栄えが悪くなるおそれもある。
【０００８】
特に、ＬＥＤを光源に用いた場合、ＬＥＤが発する光の波長に虫が引き寄せられることから、照明ユニット内に虫が侵入しやすい。しかも、ＬＥＤは長寿命であり、長期間光源の交換が不要であるので、虫や埃が照明ユニット内に蓄積されやすい。
【０００９】
本発明は、このような課題を解決するためになされたものであり、複数の照明ユニットを連結する際に、光源が配置された領域内に虫や埃が侵入することを抑制しつつ、複数の照明ユニットの電気的及び機械的な接続を簡単に行うことができる照明装置を提供することを目的とする。
【課題を解決するための手段】
【００１０】
上記目的を達成するために、本発明に係る照明装置の一態様は、光源を収納し、前記光源の光を透過する透光部を有する長尺状の照明ユニットと、前記照明ユニットの長手方向の一方の端部に設けられた第１の連結部及び第２の連結部と、前記照明ユニットの長手方向の他方の端部に設けられた第１の被連結部及び第２の被連結部とを備え、前記照明ユニットは、隔壁を隔てて前記照明ユニットの幅方向に分けられた第１のハウジング領域と第２のハウジング領域とを有し、前記第１のハウジング領域には、前記光源が配置され、前記第１の連結部及び前記第１の被連結部の各々は、互いに電気的接続が可能な構造を有し、かつ、前記照明ユニットの長手方向からの側面視において、前記第１のハウジング領域と重なる位置に設けられ、前記第２の連結部及び前記第２の被連結部は、互いに機械的接続が可能な構造を有し、かつ、前記照明ユニットの長手方向からの側面視において、前記第２のハウジング領域と重なる位置に設けられている。
【発明の効果】
【００１１】
複数の照明ユニットを連結する際に、光源が配置された領域内に虫や埃が侵入することを抑制しつつ、複数の照明ユニットの電気的及び機械的な接続を簡単に行うことができる。
【図面の簡単な説明】
【００１２】
【図１】実施の形態に係る照明装置を第１の連結部（オスコネクタ）側から見たときの外観斜視図である。
【図２】実施の形態に係る照明装置を第１の被連結部（メスコネクタ）側から見たときの外観斜視図である。
【図３】実施の形態に係る照明装置の分解斜視図である。
【図４】実施の形態に係る照明装置の断面図である。
【図５】実施の形態に係る照明装置の一方の端部の拡大図である。
【図６】実施の形態に係る照明装置の他方の端部の拡大図である。
【図７】電源入線用の照明装置を一方の端部から見たときの斜視図である。
【図８】電源入線用の照明装置を他方の端部から見たときの斜視図である。
【図９】実施の形態に係る２つの照明装置を連結する施工例を説明するための図である。
【図１０】実施の形態に係る２つの照明装置の連結状態を解除する方法を説明するための図である。
【発明を実施するための形態】
【００１３】
以下、本発明の実施の形態について、図面を参照しながら説明する。なお、以下に説明する実施の形態は、いずれも本発明の好ましい一具体例を示すものである。したがって、以下の実施の形態で示される、数値、形状、材料、構成要素、構成要素の配置位置及び接続形態等は、一例であって本発明を限定する主旨ではない。よって、以下の実施の形態における構成要素のうち、本発明の最上位概念を示す独立請求項に記載されていない構成要素については、任意の構成要素として説明される。
【００１４】
各図は、模式図であり、必ずしも厳密に図示されたものではない。各図において、実質的に同一の構成に対しては同一の符号を付しており、重複する説明は省略又は簡略化される場合がある。
【００１５】
また、本明細書及び図面において、Ｘ軸、Ｙ軸及びＺ軸は、三次元直交座標系の三軸を表しており、本実施の形態では、Ｚ軸方向を鉛直方向とし、Ｚ軸に垂直な方向（ＸＹ平面に平行な方向）を水平方向としている。Ｘ軸及びＹ軸は、互いに直交し、且つ、いずれもＺ軸に直交する軸である。
【００１６】
（実施の形態）
まず、実施の形態に係る照明装置１について、図１〜図４を用いて説明する。図１は、実施の形態に係る照明装置１を第１の連結部２１０（オスコネクタ）側から見たときの外観斜視図である。図２は、同照明装置１を第１の被連結部３１０（メスコネクタ）側から見たときの外観斜視図であり、（ａ）は保護キャップ１７０を装着した状態を示しており、（ｂ）は保護キャップ１７０を外した状態を示している。図３は、同照明装置１の分解斜視図である。図４は、同照明装置１の断面図である。なお、図３において、保護キャップ１７０は省略している。
【００１７】
図１に示される照明装置１は、例えば住宅のリビング又は寝室等に設置されてコーブ照明又はコーニス照明等の間接照明として用いられたり、キッチン等に設置されてキッチン照明等として用いられたりする。なお、照明装置１は、間接照明ではなく、天井等に設置されるベースライト等の主照明として用いられていてもよい。
【００１８】
図１に示すように、照明装置１は、全体として薄型で長尺状の照明器具（スリムライン照明）であり、ライン状の照明光を発する。本実施の形態における照明装置１の全体形状は、扁平な略直方体であるが、これに限らない。
【００１９】
図１及び図２に示すように、照明装置１は、長尺状の照明ユニット１００と、照明ユニット１００の長手方向の一方の端部に設けられた第１の連結部２１０及び第２の連結部２２０と、照明ユニット１００の長手方向の他方の端部に設けられた第１の被連結部３１０及び第２の被連結部３２０と、天井又は壁等の造営材に照明ユニット１００を取り付けるための取付板４００とを備える。
【００２０】
図１〜図４に示すように、照明ユニット１００は、発光モジュール１１０と、長尺状の筐体１２０と、筐体１２０の長手方向の一方の端部に取り付けられた第１のエンドカバー１３０と、筐体１２０の長手方向の他方の端部に取り付けられた第２のエンドカバー１４０と、金属板１５０と、絶縁シート１６０とを有する。
【００２１】
照明ユニット１００は、照明装置１の光源となる発光素子１１２を収納する。本実施の形態において、照明ユニット１００は、発光素子１１２だけではなく、発光素子１１２を発光させるための電力を生成する電源を収納している。つまり、照明ユニット１００は、電源内蔵型の発光ユニットである。
【００２２】
以下、本実施の形態に係る照明装置１の各構成部材について、図１〜図４を用いて詳細に説明する。
【００２３】
［発光モジュール］
発光モジュール１１０は、照明ユニット１００の光源部の一例であり、例えば白色光を発する。本実施の形態において、発光モジュール１１０は、ＬＥＤによって構成されたＬＥＤモジュールである。なお、発光モジュール１１０の発光色は、白色光に限るものではない。
【００２４】
発光モジュール１１０は、照明ユニット１００に収納されている。具体的には、発光モジュール１１０は、筐体１２０内に収納されている。発光モジュール１１０の光は、筐体１２０の透光部１２１ａを透過し、照明光として筐体１２０の外部に放射される。
【００２５】
図３及び図４に示すように、発光モジュール１１０は、基板１１１と、発光素子１１２と、第１の接続端子１１３と、第２の接続端子１１４と、回路素子１１５とを備える。
【００２６】
基板１１１は、Ｙ軸方向を長手方向とする長尺状の板部材である。基板１１１は、例えば、樹脂基板、セラミック基板、又は、メタルベース基板等である。なお、基板１１１は、リジッド基板に限るものではなく、フレキシブル基板又はフィルム基板であってもよい。
【００２７】
基板１１１には、複数の発光素子１１２が配置されている。複数の発光素子１１２の各々は、照明装置１の光源であり、照明ユニット１００に収納されている。具体的に、発光素子１１２は、筐体１２０に収納されている。各発光素子１１２は、電源回路を構成する回路素子１１５から供給される直流電力によって発光する。
【００２８】
図３に示すように、複数の発光素子１１２は、基板１１１の長手方向に沿って基板１１１にライン状に配列されている。ライン状に配列された複数の発光素子１１２は、ライン状に光を発するライン光源として機能する。
【００２９】
本実施の形態において、各発光素子１１２は、ＬＥＤによって構成されたＬＥＤ光源である。具体的には、各発光素子１１２は、ＬＥＤチップがパッケージ化されたＳＭＤ型ＬＥＤ素子であり、凹部を有する樹脂製又はセラミック製の白色の容器と、容器の凹部の底面に一次実装された１つ以上のＬＥＤチップと、容器の凹部内に封入された封止部材とを有する。封止部材は、例えばシリコーン樹脂等の透光性樹脂材料で構成されている。封止部材は、蛍光体等の波長変換材が含有された蛍光体含有樹脂であってもよい。
【００３０】
ＬＥＤチップは、所定の直流電力により発光する半導体発光素子の一例であって、単色の可視光を発するベアチップである。ＬＥＤチップは、例えば、通電されれば青色光を発する青色ＬＥＤチップである。この場合、白色光を得るために、封止部材には、青色ＬＥＤチップからの青色光を励起光として蛍光発光するＹＡＧ（イットリウム・アルミニウム・ガーネット）等の黄色蛍光体が含有される。
【００３１】
このように、本実施の形態における発光素子１１２は、青色ＬＥＤチップと黄色蛍光体とによって構成された白色ＬＥＤ光源である。具体的には、黄色蛍光体は青色ＬＥＤチップが発した青色光の一部を吸収して励起されて黄色光を放出し、この黄色光と黄色蛍光体に吸収されなかった青色光とが混ざって白色光となる。なお、封止部材には、黄色蛍光体だけに限らず、赤色蛍光体及び緑色蛍光体が含まれていてもよい。
【００３２】
基板１１１には、第１の接続端子１１３及び第２の接続端子１１４が配置されている。第１の接続端子１１３は、基板１１１の長手方向の一方の端部に配置されており、第２の接続端子１１４は、基板１１１の長手方向の他方の端部に配置されている。第１の接続端子１１３及び第２の接続端子１１４の各々は、リード線等の電線が接続される一対のコネクタ端子であり、例えば、速結端子である。
【００３３】
第１の接続端子１１３は、発光モジュール１１０の外部から電力が入力される入力側端子である。つまり、第１の接続端子１１３は、発光モジュール１１０の外部から電力を受電する受電用端子である。第１の接続端子１１３は、リード線（不図示）等によって第１の連結部２１０に電気的に接続されており、第１の接続端子１１３には、第１の連結部２１０に入力された電力が入力される。例えば、第１の接続端子１１３には、第１の連結部２１０を介して商用電源からの交流電力が入力される。
【００３４】
第２の接続端子１１４は、発光モジュール１１０の外部に電力を出力する出力側端子である。つまり、第２の接続端子１１４は、発光モジュール１１０の外部に電力を送電する送電用端子である。第２の接続端子１１４は、リード線（不図示）等によって第１の被連結部３１０に電気的に接続されており、第２の接続端子１１４から第１の被連結部３１０を介して外部に電力が出力される。
【００３５】
第１の接続端子１１３と第２の接続端子１１４とは、送り配線（不図示）によって電気的に接続されている。送り配線は、例えば、一対の金属配線であり、基板１１１のパターン配線として形成されている。一例として、一対の送り配線は、平行に形成された２本の金属配線であり、両端が一対の第１の接続端子１１３及び一対の第２の接続端子１１４と接続されている。送り配線は、金属配線のみによって構成されており、第１の接続端子１１３と第２の接続端子１１４とは、送り配線の抵抗成分を除けば、同電位となっている。これにより、第１の接続端子１１３に入力された交流電力は、送り配線（ＡＣ送り配線）を介して、周波数及び振幅が変わることなくそのままの交流波形で第２の接続端子１１４に供給される。例えば、第１の接続端子１１３にＡＣ１００Ｖの交流電力が供給された場合、第２の接続端子１１４には、ＡＣ１００Ｖの交流電力がそのまま供給される。したがって、この場合、第２の接続端子１１４は、ＡＣ１００Ｖの交流電力を発光モジュール１１０の外部に送電する。これにより、第１の連結部２１０から第２の連結部２２０への交流電力の送電が実現される。
【００３６】
また、第１の接続端子１１３に入力された交流電力は、複数の回路素子１１５によって構成された電源回路にも供給される。例えば、第１の接続端子１１３にＡＣ１００Ｖの交流電力が供給された場合、電源回路には、ＡＣ１００Ｖの交流電力が供給される。つまり、第１の接続端子１１３は、電源回路に交流電力を供給する給電端子としても機能する。
【００３７】
このように、本実施の形態における発光モジュール１１０では、第１の接続端子１１３に交流電力が供給されると、送り配線を介して第２の接続端子１１４に交流電力が供給されるとともに、複数の回路素子１１５によって構成される電源回路にも交流電力が供給される。
【００３８】
複数の回路素子１１５は、基板１１１の長手方向に沿って配置されている。複数の回路素子１１５は、複数の発光素子１１２の素子列と並列に配列されている。つまり、複数の回路素子１１５は、複数の発光素子１１２と横並びに配列されている。
【００３９】
複数の回路素子１１５は、複数の発光素子１１２を発光させるための電力を生成する電源回路（電源）を構成する電子部品を含む。電源回路を構成する複数の回路素子１１５で生成された電力は、基板１１１形成されたパターン配線を介して複数の発光素子１１２の各々に供給される。
【００４０】
本実施の形態において、発光モジュール１１０は、ＡＣダイレクト方式で駆動されるので、第１の接続端子１１３には交流電力が供給される。この場合、電源回路を構成する複数の回路素子１１５は、第１の接続端子１１３に供給された交流電力を、発光素子１１２を発光させるための直流電力に変換する。したがって、複数の回路素子１１５には、例えば交流電圧を整流して直流の整流電圧に変換する整流素子が含まれており、複数の発光素子１１２は、この整流電圧に応じて発光する。電源回路を構成する複数の回路素子１１５は、例えば、電解コンデンサ又はセラミックコンデンサ等の容量素子、抵抗器等の抵抗素子、整流素子、ヒューズ、ノイズフィルタ、ダイオード、スイッチング素子、又は、集積回路素子等の半導体素子等である。
【００４１】
なお、複数の回路素子１１５には、電源回路を構成しないものが含まれていてもよい。例えば、複数の回路素子１１５には、発光素子１１２の発光状態を制御するための制御用回路素子又は他機器との通信を行うための通信用回路素子等が含まれていてもよい。
【００４２】
［筐体］
図１〜図４に示すように、筐体１２０は、照明ユニット１００の外郭をなす外郭筐体であり、発光モジュール１１０を収納している。具体的には、筐体１２０は、Ｙ軸方向を長手方向とする略角筒状である。
【００４３】
図３及び図４に示すように、筐体１２０は、長尺状のカバー１２１と、カバー１２１に対向する長尺状の基体１２２とを有する。カバー１２１は、発光モジュール１１０の表側（発光素子１１２側）を覆う上カバーであり、基体１２２は、発光モジュール１１０の裏側を覆う下カバーである。
【００４４】
カバー１２１は、複数の発光素子１１２を覆う透光部１２１ａと、複数の回路素子１１５を覆う遮光部１２１ｂと、筐体１２０の幅方向の外側に庇状に突出する庇部１２１ｃとを有する。透光部１２１ａ、遮光部１２１ｂ及び庇部１２１ｃは、Ｘ軸方向に並んで配置されており、各々がＹ軸方向に延在している。
【００４５】
透光部１２１ａは、発光素子１１２（光源）から出射する光を透過する。透光部１２１ａは、例えばアクリル又はポリカーボネート等の透光性樹脂材料又はガラス材料等の透光性材料によって構成されている。透光部１２１ａは、例えば、ポリカーボネート等の樹脂材料を用いた押し出し成形によって形成される。
【００４６】
透光部１２１ａは、さらに光拡散性（光散乱性）を有していてもよい。透光部１２１ａに光拡散性を持たせることで、発光素子１１２が指向性の強いＬＥＤ光源であっても、発光素子１１２の光を散乱させることができるので、複数の発光素子１１２の発光の明暗差によるつぶつぶ感（輝度むら）を抑制できる。
【００４７】
透光部１２１ａに光拡散性を持たせる場合、透光性樹脂材料に光反射微粒子等の光拡散材を分散させて透光部１２１ａを作製したり、透明部材からなる透光部１２１ａの表面（内面又は外面）に光拡散材等を含む乳白色の光拡散膜を形成したりすることで、透光部１２１ａに光拡散性を持たせることができる。あるいは、光拡散材を用いるのではなく、シボ加工等を施すことで透明部材からなる透光部１２１ａの表面に微小凹凸を形成したり、透明部材からなる透光部１２１ａの表面にドットパターンを印刷したりすることで、透光部１２１ａに光拡散性を持たせてもよい。
【００４８】
透光部１２１ａの上面は、遮光部１２１ｂの上面と略同一平面をなしている。つまり、透光部１２１ａの上面と遮光部１２１ｂの外面とは面一であり、透光部１２１ａの上面と遮光部１２１ｂの上面とは段差のない連続面となっている。これにより、薄型の筐体１２０を容易に形成することができる。
【００４９】
本実施の形態において、透光部１２１ａは、断面形状が略Ｌ字形状に形成されている。つまり、発光素子１１２の光は、筐体１２０の透光部１２１ａの上面部及び側面部の両方から出射する。
【００５０】
遮光部１２１ｂは、発光素子１１２の光を遮光する。遮光部１２１ｂは、遮光性材料によって構成されている。例えば、遮光部１２１ｂは、白色の絶縁性樹脂材料によって構成されている。したがって、遮光部１２１ｂは、可視光に対して光反射性を有する。つまり、遮光部１２１ｂは、光を反射することで遮光している。本実施の形態において、遮光部１２１ｂは、白色のポリカーボネートによって構成されている。
【００５１】
なお、遮光部１２１ｂは、樹脂材料ではなく、アルミニウム又は鉄等の金属材料によって構成されていてもよい。また、遮光部１２１ｂの材料は、光を反射することで遮光するものに限らず、光を吸収することで遮光するものであってもよい。この場合、例えば遮光部１２１ｂを黒色の絶縁性樹脂材料で構成すればよい。また、遮光部１２１ｂは、入射する光を１００％遮光する非透光部に限らず、光透過率が低くて一部光を透過するものであってもよい。
【００５２】
庇部１２１ｃは、筐体１２０の上部に設けられている。具体的には、庇部１２１ｃは、遮光部１２１ｂの上部から筐体１２０の幅方向の外側に突出するように板状に形成されている。本実施の形態において、庇部１２１ｃは、遮光部１２１ｂと同一材料であり、遮光部１２１ｂと一体で形成されている。遮光部１２１ｂ及び庇部１２１ｃは、例えば、遮光性樹脂材料を用いた押し出し成形によって形成される。
【００５３】
このように構成されるカバー１２１は、透光部１２１ａと、遮光部１２１ｂ及び庇部１２１ｃとが接合されることで一体となっている。例えば、透光部１２１ａと遮光部１２１ｂ及び庇部１２１ｃとは、２色成形等の多色成形によって一体となっていてもよいし、透光部１２１ａと遮光部１２１ｂの各々に係合する構造を設けることで一体となっていてもよいし、接着剤又はネジ等で固定することで一体となっていてもよい。本実施の形態では、カバー１２１は、２色押し出し成形によって形成されている。
【００５４】
基体１２２は、発光モジュール１１０を支持する支持部材である。基体１２２は、遮光性材料によって構成されている。例えば、基体１２２は、遮光部１２１ｂと同じ白色の絶縁性樹脂材料によって構成されているが、これに限らない。
【００５５】
基体１２２の内底面には、突条の一対の突起が形成されている。一対の突起の間には、金属板１５０が配置される。金属板１５０は、発光モジュール１１０で発生する熱を放熱するための放熱板であり、例えば、アルミニウム等の金属材料によって構成されている。金属板１５０は、発光モジュール１１０の基板１１１と基体１２２との底部との間に配置される。また、絶縁性を高めるために、基板１１１と金属板１５０との間には、例えばポリプロピレン等の絶縁性樹脂材料によって構成された絶縁シート１６０が挿入されている。なお、金属板１５０及び絶縁シート１６０は、配置しなくてもよい。
【００５６】
また、基体１２２の内側面の各々には、発光モジュール１１０の基板１１１の幅方向（Ｘ軸方向）の端部が挿入される溝部が形成されている。一対の溝部によって、基板１１１の幅方向の動きが規制される。一対の溝部は、筐体１２０の長手方向に延在しており、筐体１２０内で基板１１１をスライド移動させるときのガイドレールとして機能する。
【００５７】
カバー１２１には、筐体１２０の長手方向に延在する第１の側壁部１２１ｄが形成されている。また、基体１２２には、筐体１２０の長手方向に延在する第２の側壁部１２２ａが形成されている。カバー１２１の第１の側壁部１２１ｄ及び基体１２２の第２の側壁部１２２ａは、照明ユニット１００の隔壁を構成している。つまり、照明ユニット１００の内部領域は、隔壁を構成する第１の側壁部１２１ｄ及び第２の側壁部１２２ａによって、照明ユニット１００の幅方向に分けられて空間的に分離されている。
【００５８】
具体的には、図４に示すように、照明ユニット１００は、このような隔壁を隔てて照明ユニットの幅方向に分けられた第１のハウジング領域Ａ１と第２のハウジング領域Ａ２とを有する。第１のハウジング領域Ａ１と第２のハウジング領域Ａ２は、照明ユニット１００内の空間領域である。
【００５９】
第１のハウジング領域Ａ１には、発光素子１１２（光源）が配置されている。本実施の形態において、第１のハウジング領域Ａ１は、発光モジュール１１０が収納された筐体１２０の内部空間を構成する閉空間領域である。また、第１のハウジング領域Ａ１は、発光素子１１２及び回路素子１１５等の電気的要素を接続するための電気接続領域である。
【００６０】
具体的には、第１のハウジング領域Ａ１は、発光素子１１２が配置された光源領域ＡＬと、電源回路（電源）を構成する回路素子１１５が配置された電源領域ＡＰとを有する。光源領域ＡＬと電源領域ＡＰとは、照明ユニット１００の幅方向に並んでいる。本実施の形態において、光源領域ＡＬは、カバー１２１の透光部１２１ａで覆われている領域であり、電源領域ＡＰは、カバー１２１の遮光部１２１ｂで覆われている領域である。つまり、光源領域ＡＬと電源領域ＡＰとの境界は、カバー１２１における透光部１２１ａと遮光部１２１ｂの境界である。
【００６１】
第２のハウジング領域Ａ２には、照明装置１を天井又は壁等の造営材に取り付けるための取付部材が配置されている。具体的には、第２のハウジング領域Ａ２には、そのような取付部材として、照明装置１を造営材に固定するためのネジ等が配置されている。
【００６２】
本実施の形態において、第２のハウジング領域Ａ２は、照明ユニット１００の長手方向に交差する断面において、取付板４００の第１の板部４１０（はみ出し部４１２）と第２の板部４２０とカバー１２１（庇部１２１ｃ）と筐体１２０の側壁とで囲まれる領域である。
【００６３】
また、第２のハウジング領域Ａ２には、カバー１２１と基体１２２とを固定するためのネジ１９３のネジ頭が位置している。つまり、本実施の形態において、第２のハウジング領域Ａ２は、照明装置１を造営材に機械的に接続するための領域だけではなく、カバー１２１と基体１２２とを機械的に接続するための領域としても機能する。
【００６４】
このように、第２のハウジング領域Ａ２は、照明装置１に関する機械的な接続を行うための機械接続領域である。なお、第２のハウジング領域Ａ２は、発光素子１１２及び回路素子１１５等の電気的要素が配置されておらず、電気的要素を接続するための電気接続領域にはなっていない。
【００６５】
カバー１２１と基体１２２とをネジ１９３によって固定する場合、カバー１２１の第１の側壁部１２１ｄに形成された貫通孔１２１ｄ１と、基体１２２の第２の側壁部１２２ａに形成されたネジ孔１２２ａ１とを用いる。本実施の形態では、基体１２２の第２の側壁部１２２ａがカバー１２１の第１の側壁部１２１ｄに対して内側となるように、基体１２２の第２の側壁部１２２ａとカバー１２１の第１の側壁部１２１ｄとを重ね合わせて、カバー１２１側から、カバー１２１の貫通孔１２１ｄ１と基体１２２のネジ孔１２２ａ１とにネジ１９３を挿通し、基体１２２のネジ孔１２２ａ１にネジ１９３をねじ込む。これにより、カバー１２１と基体１２２とをネジ１９３によってねじ止めすることができる。このようなネジ１９３の取り付け作業によって、ネジ１９３のネジ頭が第２のハウジング領域Ａ２に位置することになる。
【００６６】
なお、カバー１２１の貫通孔１２１ｄ１にはネジ山が設けられていないが、基体１２２のネジ孔１２２ａ１にはネジ山が設けられている。これにより、ネジ１９３を容易にねじ止めできるとともに、第２のハウジング領域Ａ２から第１のハウジング領域Ａ１に虫や埃が侵入することを効果的に抑制できる。
【００６７】
［エンドカバー］
図１〜図３に示すように、第１のエンドカバー１３０及び第２のエンドカバー１４０は、照明ユニット１００の長手方向の端部に設けられている。具体的には、第１のエンドカバー１３０及び第２のエンドカバー１４０は、筐体１２０の長手方向の端部を覆うエンドキャップである。第１のエンドカバー１３０は、筐体１２０の長手方向の一方の端部を覆っており、第２のエンドカバー１４０は、筐体１２０の長手方向の他方の端部を覆っている。また、第１のエンドカバー１３０及び第２のエンドカバー１４０の各々は、第１のハウジング領域Ａ１及び第２のハウジング領域Ａ２の長手方向の端部を塞いでいる。
【００６８】
図３に示すように、第１のエンドカバー１３０の上部には、筐体１２０の長手方向に凹む第１の段差部１３１が設けられている。つまり、第１の段差部１３１は、照明ユニット１００の長手方向の一方の端部の上部に設けられている。
【００６９】
同様に、第２のエンドカバー１４０の上部には、筐体１２０の長手方向に凹む第２の段差部１４１が設けられている。つまり、第２の段差部１４１は、照明ユニット１００の長手方向の他方の端部の上部に設けられている。
【００７０】
第１のエンドカバー１３０の第１の段差部１３１と第２のエンドカバー１４０の第２の段差部１４１とは、照明ユニット１００の長手方向からの側面視において、少なくとも一部が重なっている。本実施の形態において、第１の段差部１３１と第２の段差部１４１とは、同じ幅を有しており、照明ユニット１００の長手方向からの側面視において、互いの幅の両端が一致している。
【００７１】
また、第１のエンドカバー１３０には、貫通孔１３２が設けられている。第１のエンドカバー１３０は、貫通孔１３２に挿通されるネジ１８１によって筐体１２０に固定される。具体的には、筐体１２０のカバー１２１の長手方向の一方の端部にネジ孔が設けられており、第１のエンドカバー１３０を筐体１２０の端部に嵌め込んで、ネジ１８１を第１のエンドカバー１３０の貫通孔１３２にＹ軸方向に挿通して筐体１２０のネジ孔にねじ込むことで第１のエンドカバー１３０を筐体１２０に固定することができる。
【００７２】
同様に、第２のエンドカバー１４０にも、貫通孔１４２が設けられている。第２のエンドカバー１４０は、貫通孔１４２に挿通されるネジ１８２によって筐体１２０に固定される。具体的には、筐体１２０のカバー１２１の長手方向の他方の端部にネジ孔が設けられており、第２のエンドカバー１４０を筐体１２０の端部に嵌め込んで、ネジ１８２を第２のエンドカバー１４０の貫通孔１４２にＹ軸方向に挿通して筐体１２０のネジ孔にねじ込むことで第２のエンドカバー１４０を筐体１２０に固定することができる。
【００７３】
なお、第１のエンドカバー１３０及び第２のエンドカバー１４０は、ネジ１８１及び１８２によって固定するのではなく、接着剤又は爪構造等によって筐体１２０に固定してもよい。
【００７４】
また、図３に示すように、第１のエンドカバー１３０は、ネジ１８１だけではなくネジ１９１によっても筐体１２０に固定されている。ネジ１９１は、筐体１２０のカバー１２１の第１の側壁部１２１ｄに形成された貫通孔をＸ軸方向に貫通し、第１のエンドカバー１３０に設けられたネジ孔にねじ込まれる。
【００７５】
同様に、第１のエンドカバー１４０は、ネジ１８２だけではなくネジ１９２によっても筐体１２０に固定されている。ネジ１９２は、筐体１２０のカバー１２１の第１の側壁部１２１ｄに形成された貫通孔をＸ軸方向に貫通し、第２のエンドカバー１４０に設けられたネジ孔にねじ込まれる。
【００７６】
このように、第１のエンドカバー１３０及び第２のエンドカバー１４０は、Ｙ軸方向にねじ込まれるネジ１８１及び１８２と、Ｘ軸方向にねじ込まれるネジ１９１及び１９２とによって筐体１２０に固定されている。つまり、第１のエンドカバー１３０及び第２のエンドカバー１４０の各々は、直交する２方向からねじ込まれた２本のネジによって筐体１２０に固定されている。これにより、第１のエンドカバー１３０及び第２のエンドカバー１４０を筐体１２０に確実に固定して筐体１２０を塞ぐことができるので、第１のハウジング領域Ａ１及び第２のハウジング領域Ａ２に虫や埃が侵入することを抑制できる。
【００７７】
このように構成される第１のエンドカバー１３０及び第２のエンドカバー１４０は、例えばポリプロピレン又はポリブチレンテレフタレート等の樹脂材料によって形成されている。なお、第１のエンドカバー１３０及び第２のエンドカバー１４０は、樹脂材料に限らず、金属材料によって形成されていてもよい。
【００７８】
第１のエンドカバー１３０には、第１の連結部２１０及び第２の連結部２２０が設けられている。本実施の形態において、第１の連結部２１０及び第２の連結部２２０は、例えば樹脂材料によって第１のエンドカバー１３０と一体に形成されているが、これに限らない。
【００７９】
また、第２のエンドカバー１４０には、第１の被連結部３１０及び第２の被連結部３２０が設けられている。本実施の形態において、第１の被連結部３１０及び第２の被連結部３２０は、例えば樹脂材料によって第２のエンドカバー１４０と一体に形成されているが、これに限らない。
【００８０】
なお、第１の連結部２１０及び第２の連結部２２０と、第１の被連結部３１０及び第２の被連結部３２０とについての詳細な構造は、後述する。
【００８１】
［取付板］
図１〜図４に示すように、取付板４００は、照明装置１を天井又は壁等の造営材に取り付けるための取付部材であり、Ｙ軸方向を長手方向とする長尺状部材である。取付板４００は、例えば、鉄又はアルミニウム等の金属材料によって構成された金属板を用いて形成される。本実施の形態において、取付板４００は、鉄を主成分とする鉄板を用いて所定形状に形成されている。
【００８２】
図３及び図４に示すように、取付板４００は、第１の板部４１０と、第２の板部４２０と、第３の板部４３０とを有する。
【００８３】
第１の板部４１０は、筐体１２０の裏面側を支持する支持部４１１と、支持部４１１の端部から筐体１２０の幅方向の外側にはみ出すはみ出し部４１２とを有する。
【００８４】
第２の板部４２０は、第１の板部４１０の幅方向の一方の端部に設けられている。具体的には、第２の板部４２０は、第１の板部４１０のはみ出し部４１２に立設している。本実施の形態において、第２の板部４２０は、第１の板部４１０の主面に対して略垂直な方向に第１の板部４１０の端部を折り曲げるようにして形成されている。
【００８５】
第３の板部４３０は、第１の板部４１０の幅方向の他方の端部に設けられている。具体的には、第３の板部４３０は、第１の板部４１０に立設している。本実施の形態において、第３の板部４３０は、第１の板部４１０の主面に対して内側斜め方向に第１の板部４１０の端部を折り曲げるようにして形成されている。
【００８６】
取付板４００は、例えば、ネジによって天井又は壁等の造営材に固定される。このため、取付板４００には、ネジが挿通される第１の貫通孔４０１及び第２の貫通孔４０２が設けられている。
【００８７】
第１の貫通孔４０１は、第１の板部４１０に設けられている。したがって、第１の板部４１０の外面を取付面として造営材に取り付ける場合、第１の貫通孔４０１にネジを挿通することで取付板４００を造営材に固定することができる。
【００８８】
第２の貫通孔４０２は、第２の板部４２０に設けられている。したがって、第２の板部４２０の外面を取付面として造営材に取り付ける場合、第２の貫通孔４０２にネジを挿通することで取付板４００を造営材に固定することができる。
【００８９】
また、取付板４００には、取付ばね４０３が設けられている。取付ばね４０３は、照明ユニット１００を取付板に保持するための金属ばねであり、取付板４００の幅方向の一方の端部に設けられている。具体的には、取付ばね４０３は、取付金具を介して第２の板部４２０の内側に設けられている。取付ばね４０３によって照明ユニット１００を取付板４００に付勢することで、照明ユニット１００を取付板４００に保持させることができる。
【００９０】
具体的には、取付板４００の第２の板部４２０に向けて照明ユニット１００を押し込むことで取付ばね４０３が押圧されて縮み、照明ユニット１００が取付板４００に嵌め込まれると、取付ばね４０３は縮んだ状態から元の状態に戻ろうとしてバネ復元力が発生する。照明ユニット１００は、取付ばね４０３のバネ復元力によって第３の板部４３０に押さえ付けられて取付板４００に保持される。なお、取付板４００に保持された状態の照明ユニット１００は、照明ユニット１００の長手方向（Ｙ軸方向）に沿ってスライド可能となっている。
【００９１】
［連結部、被連結部］
次に、第１の連結部２１０及び第２の連結部２２０と、第１の被連結部３１０及び第２の被連結部３２０とについて、図１〜図４を参照しつつ、図５及び図６を用いて詳細に説明する。図５は、実施の形態に係る照明装置１の一方の端部の拡大図であり、（ａ）は斜視図、（ｂ）は側面図である。図６は、実施の形態に係る照明装置１の他方の端部の拡大図であり、（ａ）は斜視図、（ｂ）は側面図である。
【００９２】
図５の（ａ）及び（ｂ）に示すように、第１の連結部２１０は、第１のエンドカバー１３０に設けられている。一方、図６の（ａ）及び（ｂ）に示すように、第１の被連結部３１０は、第２のエンドカバー１４０に設けられている。したがって、第１の連結部２１０と第１の被連結部３１０とは、照明ユニット１００の長手方向の反対側に設けられている。
【００９３】
第１の連結部２１０及び第１の被連結部３１０の各々は、互いに電気的接続が可能な構造を有する。本実施の形態において、第１の連結部２１０及び第１の被連結部３１０の各々は、電気的接続が可能なだけではなく、機械的接続が可能な構造を有する。
【００９４】
図５（ａ）に示すように、本実施の形態において、第１の連結部２１０は、オス型給電構造を有するオスコネクタである。一方、図６（ａ）に示すように、第１の被連結部３１０は、オスコネクタに電気的及び機械的に連結可能なメス型給電構造を有するメスコネクタである。つまり、第１の連結部２１０と第１の被連結部とは、互いに嵌合する形状を有しており、例えば２つの照明ユニット１００を連結する際に、一方の照明ユニット１００の第１の連結部２１０と他方の照明ユニット１００の第１の被連結部３１０とが嵌合される。これにより、第１の連結部２１０と第２の被連結部とが電気的及び機械的に接続される。
【００９５】
図５（ｂ）に示すように、第１の連結部２１０は、照明ユニット１００の長手方向からの側面視において、第１のハウジング領域Ａ１と重なる位置に設けられている。具体的には、第１の連結部２１０は、第１のハウジング領域Ａ１における電源領域ＡＰと重なる位置に設けられている。
【００９６】
図６（ｂ）に示すように、第１の被連結部３１０は、照明ユニット１００の長手方向からの側面視において、第１のハウジング領域Ａ１と重なる位置に設けられている。具体的には、第１の被連結部３１０は、第１のハウジング領域Ａ１における電源領域ＡＰと重なる位置に設けられている。
【００９７】
このように、第１の連結部２１０及び第１の被連結部３１０は、いずれも第１のハウジング領域Ａ１（具体的には、電源領域ＡＰ）と重なる位置に設けられている。なお、本実施の形態において、第１の連結部２１０と第１の被連結部３１０とは、照明ユニット１００の長手方向からの側面視において、丁度重なる位置に設けられている。
【００９８】
上述のように、照明ユニット１００は、例えば、第１の連結部２１０を通じて交流電力の供給を受けることで発光する。具体的には、第１の連結部２１０は、リード線等によって第１の接続端子１１３と電気的に接続されている。したがって、第１の連結部２１０で受電した電力は、第１の接続端子１１３に供給される。これにより、電源回路を構成する回路素子１１５によって発光素子１１２を発光させるための電力が生成されて、この電力が発光素子１１２に供給されて発光素子１１２が発光する。
【００９９】
また、第１の連結部２１０の反対側に設けられた第１の被連結部３１０は、リード線等によって第２の接続端子１１４と電気的に接続されている。したがって、第１の連結部２１０を介して第１の接続端子１１３に供給された交流電力は、発光モジュール１１０の送り配線によって第１の接続端子１１３から第２の接続端子１１４に送電されて、第１の被連結部３１０に供給される。
【０１００】
このように、照明ユニット１００は、第１の連結部２１０に入力された交流電力を第１の被連結部３１０に出力することができる。これにより、例えば、一の照明ユニット１００の第１の被連結部３１０に他の照明ユニット１００の第１の連結部２１０を連結した場合、一の照明ユニット１００を介して他の照明ユニット１００に交流電力を供給することができる。
【０１０１】
また、図５の（ａ）及び（ｂ）に示すように、第１のエンドカバー１３０には、第１の連結部２１０の他に、第２の連結部２２０が設けられている。同様に、図６の（ａ）及び（ｂ）に示すように、第２のエンドカバー１４０には、第１の被連結部３１０の他に、第２の被連結部３２０が設けられている。
【０１０２】
第２の連結部２２０及び第２の被連結部３２０の各々は、互いに機械的接続が可能な構造を有する。本実施の形態において、第２の連結部２２０及び第２の被連結部３２０の各々は、電気的接続及び機械的接続のうち機械的接続のみが可能な構造を有する。したがって、例えば、２つの照明ユニット１００を連結する際に、一方の照明ユニット１００の第２の連結部２２０と他方の照明ユニット１００の第２の被連結部３２０とが機械的に接続される。
【０１０３】
具体的には、図５の（ａ）及び（ｂ）に示すように、第２の連結部２２０は、照明ユニット１００の外方に向けて照明ユニット１００の長手方向に突出する突出部２２１と、突出部２２１に設けられた爪部２２２とを有する。
【０１０４】
突出部２２１は、第１のエンドカバー１３０に設けられている。突出部２２１は、第２の被連結部３２０の挿入孔３２１に挿入可能な構造を有する凸状体である。突出部２２１は、例えば板状に形成されているが、挿入孔３２１に挿入することができる形状であれば、これに限らない。
【０１０５】
爪部２２２は、第２の被連結部３２０の係止穴３２２に係止可能な構造を有する係止爪である。爪部２２２は、例えばテーパ面を有する断面形状が台形の突条であるが、係止穴３２２に係止することができる形状であれば、これに限らない。
【０１０６】
第２の被連結部３２０は、第２の連結部２２０の突出部２２１が挿入可能な挿入孔３２１と、第２の連結部２２０の爪部２２２が係止可能な係止穴３２２とを有する。つまり、挿入孔３２１及び係止穴３２２は、例えば２つの照明ユニット１００を連結する際に、一方の照明ユニット１００の突出部２２１が他方の照明ユニット１００の挿入孔３２１に挿入されるとともに、一方の照明ユニット１００の爪部２２２が他方の照明ユニット１００の係止穴３２２に係止する構造であればよい。
【０１０７】
挿入孔３２１は、照明ユニット１００の長手方向の側面に設けられている。具体的には、挿入孔３２１は、貫通孔であり、第２のエンドカバー１４０に設けられている。挿入孔３２１は、一例として、横長矩形のスリット状の貫通孔であるが、第１のエンドカバー１３０に設けられた突出部２２１が挿入できる形状であれば、これに限らない。
【０１０８】
また、係止穴３２２は、照明ユニット１００の上面に設けられている。具体的には、係止穴３２２は、筐体１２０のカバー１２１の遮光部１２１ｂに形成されている。一例として、係止穴３２２は、矩形状の貫通孔であるが、第１のエンドカバー１３０に設けられた爪部２２２が引っ掛かることができる形状であれば、これに限らない。したがって、係止穴３２２は、貫通孔に限らず、底部を有する凹部であってもよい。ただし、係止穴３２２を貫通孔にすることで爪部２２２が露出するので、係止穴３２２に爪部２２２が係止されている場合に、爪部２２２を奥側に押し込むことで爪部２２２と係止穴３２２との係止状態を容易に解除することができる。
【０１０９】
このように構成される第２の連結部２２０は、図５（ｂ）に示すように、照明ユニット１００の長手方向からの側面視において、第２のハウジング領域Ａ２と重なる位置に設けられている。
【０１１０】
また、第２の被連結部３２０は、図６（ｂ）に示すように、照明ユニット１００の長手方向からの側面視において、第２のハウジング領域Ａ２と重なる位置に設けられている。
【０１１１】
このように、第２の連結部２２０及び第２の被連結部３２０は、いずれも第２のハウジング領域Ａ２と重なる位置に設けられている。なお、本実施の形態において、第２の連結部２２０と第２の被連結部３２０とは、照明ユニット１００の長手方向からの側面視において、丁度重なる位置に設けられている。
【０１１２】
また、照明ユニット１００の上面視において、第２の連結部２２０は、第１の連結部２１０の側方に設けられている。つまり、照明ユニット１００の上面視において、第１の連結部２１０と第２の連結部２２０とは、照明ユニット１００の幅方向に並んで設けられており、第１の連結部２１０と第２の連結部２２０とは重なっていない。これにより、第１の被連結部３１０と第２の被連結部３２０とついても、照明ユニット１００の幅方向に並んで設けられている。
【０１１３】
［照明装置の施工例］
次に、照明装置１の施工例について説明する。本実施の形態では、図１に示される照明装置１と、図７及び図８に示される照明装置２とを連結する場合について説明する。具体的には、図７及び図８に示される照明装置２は、電源入線用の照明器具である。この電源入線用の照明装置２に、図１に示される照明装置１を連結用の照明器具として連結する。
【０１１４】
まず、電源入線用の照明装置２について、図７及び図８を用いて説明する。図７及び図８は、電源入線用の照明装置２の斜視図である。
【０１１５】
照明装置２は、照明ユニット１００Ａと、照明ユニット１００Ａの長手方向の一方の端部に設けられた端子ユニット５００と、照明ユニット１００の長手方向の他方の端部に設けられた第１の被連結部３１０及び第２の被連結部３２０と、取付板４００とを備える。
【０１１６】
照明ユニット１００Ａは、第１の連結部２１０及び第１の被連結部３１０を有していない点で、上記実施の形態における照明装置１の照明ユニット１００と異なる。それ以外は、照明ユニット１００Ａは、上記照明ユニット１００と同様の構成である。
【０１１７】
また、端子ユニット５００は、端子台５１０と、端子台５１０を覆うカバー５２０と、スイッチ５３０とを有する。端子台５１０は、商用電源等の外部電源と接続されたＶＶＦケーブル等の電線３が接続されている。本実施の形態では、端子台５１０には、交流電力が投入される。スイッチ５３０は、端子台５１０に投入される電力のオンオフを切り替える。つまり、スイッチ５３０を操作することで、端子台５１０から照明ユニット１００Ａに供給する電力のオンオフを切り替えることができる。
【０１１８】
次に、図９を用いて、図１に示される連結用の照明装置１と、図７及び図８に示される電源入線用の照明装置２とを連結する具体的な施工例を説明する。図９は、実施の形態に係る２つの照明装置を連結する施工例を説明するための図である。
【０１１９】
まず、図９（ａ）に示すように、２つの取付板４００を直線状に並べて造営材に固定する。この場合、取付板４００の第１の貫通孔４０１又は第２の貫通孔４０２に木ネジ等のネジを挿通して取付板４００を天井又は壁等の造営材に固定する。
【０１２０】
次に、図９（ｂ）に示すように、２つの取付板４００の一方に、端子台５１０が取り付けられた照明ユニット１００Ａを取り付けて、照明ユニット１００Ａを取付板４００に保持させる。具体的には、照明ユニット１００Ａの側面に取り付けられたＬ字金具を取付板４００の取付ばねに引っ掛けるようにして照明ユニット１００Ａを回動させながら取付ばねに押し込む。これにより、照明ユニット１００Ａを取付板４００に保持させることができる。
【０１２１】
次に、図９（ｃ）に示すように、端子台５１０に電線３を接続して、端子台５１０にカバー５２０を取り付ける。また、２つの取付板４００の他方に、照明ユニット１００を取り付けて、照明ユニット１００Ａと同様の方法で、照明ユニット１００を取付板４００に保持させる。具体的には、照明ユニット１００の側面に取り付けられたＬ字金具を取付板４００の取付ばねに引っ掛けるようにして照明ユニット１００を回動させながら取付ばねに押し込む。
【０１２２】
そして、図９（ｃ）の矢印に示す方向に、取付板４００に保持された状態の照明ユニット１００をスライドさせて、図９（ｄ）に示すように、照明ユニット１００を照明ユニット１００Ａに連結する。
【０１２３】
具体的には、照明ユニット１００の第１の連結部２１０（オスコネクタ）を照明ユニット１００Ａの第１の被連結部３１０（メスコネクタ）に連結するとともに、照明ユニット１００の第２の連結部２２０を照明ユニット１００Ａの第２の被連結部３２０に連結する。
【０１２４】
このように、第１の連結部２１０と第１の被連結部３１０とが連結されることで、照明ユニット１００と照明ユニット１００Ａとが電気的に接続される。これにより、端子台５１０に投入された電力を、照明ユニット１００Ａを介して照明ユニット１００に供給することができる。
【０１２５】
また、第２の連結部２２０と第２の被連結部３２０とが連結されることで、照明ユニット１００と照明ユニット１００Ａとが機械的に接続される。具体的には、照明ユニット１００における第２の連結部２２０の突出部２２１が照明ユニット１００Ａにおける第２の被連結部３２０の挿入孔３２１に挿入されて、図９（ｄ）に示すように、照明ユニット１００における第２の連結部２２０の爪部２２２が照明ユニット１００Ａにおける第２の被連結部３２０の係止穴３２２にスナップインで係止する。これにより、照明ユニット１００と照明ユニット１００Ａとは、引き離すことができない状態で互いに連結されて固定される。
【０１２６】
以上のようにして、電源入線用の照明装置２と連結用の照明装置１とを連結することができる。つまり、電源入線用の照明装置２と連結用の照明装置１とを電気的及び機械的に接続することができる。
【０１２７】
なお、照明ユニット１００と照明ユニット１００Ａとの連結状態を解除する場合は、図１０に示すように、爪部２２２を治具４等によって奥側（照明ユニット１００の高さ方向向）に押し込んで爪部２２２を係止穴３２２から外すとともに、照明ユニット１００Ａの第２の段差部１４１と照明ユニット１００の第１の段差部１３１との合わせ部分の隙間にマイナスドライバー５等を挿入して回転させて照明ユニット１００Ａと照明ユニット１００とを引き離すことで、照明ユニット１００Ａと照明ユニット１００との連結状態を解除することができる。
【０１２８】
このように、本実施の形態では、第１の連結部２１０と第１の被連結部３１０との連結位置（連結解除位置）と、第２の連結部２２０と第２の被連結部３２０との連結位置（連結解除位置）とを異ならせているので、オスコネクタである第１の連結部２１０に不要な応力をかけることなく、照明ユニット１００Ａと照明ユニット１００とを分離させることができる。
【０１２９】
また、本実施の形態では、照明ユニット１００Ａと照明ユニット１００との連結状態を解除する際に、爪部２２２及び係止穴３２２の係止状態を解除した上で、照明ユニット１００Ａと照明ユニット１００とを引き離している。つまり、２か所の作業によって連結状態を解除している。したがって、照明ユニット１００と照明ユニット１００Ａとの連結状態を解除するには、両手の作業が必要となる。
【０１３０】
このように、あえて両手での作業を促すことにより、照明ユニット１００Ａと照明ユニット１００とが不意に外れてしまうことをなくすことができる。例えば、照明ユニット１００Ａと照明ユニット１００との連結状態を解除するつもりがないときに爪部２２２を押し込んでしまっても、爪部２２２を押し込んでだけでは照明ユニット１００Ａと照明ユニット１００との連結状態は解除されない。このように、本実施の形態では、一旦連結した照明ユニット１００Ａと照明ユニット１００とを、一般ユーザによって簡単に取り外すことができないようにしている。
【０１３１】
［作用効果等］
以上、本実施の形態に係る照明装置１は、図５及び図６に示すように、長尺状の照明ユニット１００と、照明ユニット１００の長手方向の一方の端部に設けられた第１の連結部２１０及び第２の連結部２２０と、照明ユニット１００の長手方向の他方の端部に設けられた第１の被連結部３１０及び第２の被連結部３２０とを備える。照明ユニット１００は、隔壁を隔てて照明ユニット１００の幅方向に分けられた第１のハウジング領域Ａ１と第２のハウジング領域Ａ２とを有し、第１のハウジング領域Ａ１には、発光素子１１２が配置されている。そして、第１の連結部２１０及び第１の被連結部３１０の各々は、互いに電気的接続が可能な構造を有し、かつ、照明ユニット１００の長手方向からの側面視において、第１のハウジング領域Ａ１と重なる位置に設けられている。一方、第１の被連結部３１０及び第２の被連結部３２０は、互いに機械的接続が可能な構造を有し、かつ、照明ユニット１００の長手方向からの側面視において、第２のハウジング領域Ａ２と重なる位置に設けられている。
【０１３２】
このように、本実施の形態に係る照明装置１では、電気的接続が可能な構造を有する第１の連結部２１０及び第１の被連結部３１０が、発光素子１１２が配置された第１のハウジング領域Ａ１と重なる位置に設けられているとともに、機械的接続が可能な構造を有する第２の連結部２２０及び第２の被連結部３２０が、隔壁を介して第１のハウジング領域Ａ１と隔てられた第２のハウジング領域Ａ２と重なる位置に設けられている。つまり、電気的接続が可能な構造を有する第１の連結部２１０及び第１の被連結部３１０と、機械的接続が可能な構造を有する第２の連結部２２０及び第２の被連結部３２０とが分離して設けられており、照明ユニット１００を他の照明ユニットに連結する際における電気的な接続をするための部分と機械的な接続をするための部分とが異なる位置に設けられている。
【０１３３】
これにより、第２のハウジング領域Ａ２には発光素子１１２及び回路素子１１５等の電気的要素が配置されていないので、第２のハウジング領域Ａ２に虫や埃が侵入したとしても、虫や埃によって照明ユニット１００内の配線等の導電部分がショートしたり回路素子１１５が劣化したりすることを抑制できるとともに、侵入した虫の死骸によって照明ユニット１００の見栄えが悪くなることを抑制できる。
【０１３４】
また、仮に第２のハウジング領域Ａ２に虫や埃が侵入したとしても、第１のハウジング領域Ａ１と第２のハウジング領域Ａ２とは隔壁によって分離されているので、第２のハウジング領域Ａ２から第１のハウジング領域Ａ１に虫や埃が侵入することを抑制できる。
【０１３５】
以上、本実施の形態における照明装置１によれば、例えば、第１の連結部２１０及び第２の連結部２２０と第１の被連結部３１０及び第２の被連結部３２０とのうちの少なくとも一方を有する他の照明ユニットに、上記実施の形態における照明ユニット１００を連結する際に、発光素子１１２が配置された第１のハウジング領域Ａ１内に虫や埃が侵入することを抑制しつつ、照明ユニット１００と他の照明ユニットとの電気的及び機械的な接続を簡単に行うことができる。
【０１３６】
また、本実施の形態における照明装置１において、照明ユニット１００の上面視において、第１の連結部２１０と第２の連結部２２０とは、照明ユニット１００の幅方向に並んで設けられている。
【０１３７】
これにより、第１の連結部２１０と第２の連結部２２０との物理的な干渉を回避できるので、照明ユニット１００を他の照明ユニットに連結する際に、照明ユニット１００の第１の連結部２１０と他の照明ユニットの第１の被連結部３１０との電気的な接続を容易に行うことができるとともに、照明ユニット１００の第２の連結部２２０と他の照明ユニットの第２の被連結部３２０との機械的な接続を容易に行うことができる。
【０１３８】
しかも、第１の連結部２１０と第２の連結部２２０とを照明ユニット１００の幅方向に並んでいることで、照明ユニット１００の高さを低くすることができる。これにより、薄型の照明装置１を実現することができる。
【０１３９】
また、本実施の形態における照明装置１において、照明ユニット１００は、発光素子１１２を発光させるための電力を生成する電源を収納しており、第１のハウジング領域Ａ１における光源領域ＡＬと電源領域ＡＰとは、照明ユニット１００の幅方向に並んで位置している。そして、第１の連結部２１０及び第１の被連結部３１０は、照明ユニット１００の長手方向からの側面視において、電源領域ＡＰに重なる位置に設けられている。
【０１４０】
これにより、照明ユニット１００を他の照明ユニットに連結する際に、照明ユニット１００の第１の連結部２１０と他の照明ユニットの第１の被連結部３１０との電気的な接続を行ったときに、第１の連結部２１０及び第１の被連結部３１０と照明ユニット１００内の電源との電気的な接続を容易に行うことができる。
【０１４１】
また、本実施の形態における照明装置１において、第２の連結部２２０は、照明ユニット１００の外方に向けて照明ユニット１００の長手方向に突出する突出部２２１と、突出部２２１に設けられた爪部２２２とを有しており、第２の被連結部３２０は、突出部２２１が挿入可能な挿入孔３２１と、爪部２２２が係止可能な係止穴３２２とを有する。
【０１４２】
これにより、照明ユニット１００を他の照明ユニットに連結する際に、照明ユニット１００の第２の連結部２２０と他の照明ユニットの第２の被連結部３２０との機械的な接続を容易且つ確実に行うことができる。したがって、照明ユニット１００と他の照明ユニットとを容易に連結できるとともに、照明ユニット１００と他の照明ユニットとが簡単に引き離されないように確実に固定することができる。
【０１４３】
さらに、本実施の形態における照明装置１において、挿入孔３２１は、照明ユニット１００の長手方向の側面に設けられており、係止穴３２２は、照明ユニット１００の上面に設けられている。
【０１４４】
これにより、照明ユニット１００の第２の連結部２２０と他の照明ユニットの第２の被連結部３２０との機械的な接続を確実に行うことができるだけではなく、係止穴３２２が照明ユニット１００の上面に設けられているので、照明ユニット１００と他の照明ユニットとの連結状態を容易に解除することができる。つまり、照明ユニット１００と他の照明ユニットとの連結及び分離を容易に行うことができる。
【０１４５】
また、本実施の形態における照明装置１において、第１の連結部２１０は、オスコネクタであり、第１の被連結部３１０は、そのオスコネクタに電気的及び機械的に連結可能な構造を有するメスコネクタである。
【０１４６】
これにより、照明ユニット１００を他の照明ユニットに連結する際に、照明ユニット１００の第１の連結部２１０と他の照明ユニットの第１の被連結部３１０とを電気的に接続すると同時に機械的にも接続することができる。したがって、より確実に照明ユニット１００と他の照明ユニットとを連結固定することができる。
【０１４７】
また、本実施の形態における照明装置１において、照明ユニット１００の長手方向の一方の端部の上部には、当該長手方向に凹む第１の段差部１３１が設けられ、照明ユニット１００の長手方向の他方の端部の上部には、当該長手方向に凹む第２の段差部１４１が設けられている。そして、照明ユニット１００の長手方向からの側面視において、第１の段差部１３１と第２の段差部１４１とは、少なくとも一部が重なっている。
【０１４８】
これにより、照明ユニット１００と他の照明ユニットとを連結したときに、照明ユニット１００と他の照明ユニットとの連結部分に、照明ユニット１００の第１の段差部１３１（又は第２の段差部１４１）と他の照明ユニットの第２の段差部１４１（又は第１の段差部１３１）とで隙間が形成される。これにより、この隙間を利用して照明ユニット１００と他の照明ユニットとの連結を解除することができるので、照明ユニット１００と他の照明ユニットとを容易に分離することができる。
【０１４９】
また、本実施の形態における照明装置１において、照明ユニット１００は、長尺状の筐体１２０と、筐体１２０の長手方向の一方の端部に取り付けられた第１のエンドカバー１３０と、筐体１２０の長手方向の他方の端部に取り付けられた第２のエンドカバー１４０とを有する。そして、第１の連結部２１０と第２の連結部２２０とは、第１のエンドカバー１３０に設けられている。
【０１５０】
これにより、第１の連結部２１０及び第２の連結部２２０を容易に形成することができるとともに、第１のエンドカバー１３０を筐体１２０に取り付けるだけで、第１の連結部２１０及び第２の連結部２２０を照明ユニット１００に設けることができる。
【０１５１】
さらに、本実施の形態における照明装置１において、第１のエンドカバー１３０及び第２のエンドカバー１４０の各々は、第１のハウジング領域Ａ１及び第２のハウジング領域Ａ２の長手方向の端部を塞いでいる。
【０１５２】
これにより、第１のハウジング領域Ａ１及び第２のハウジング領域Ａ２に虫や埃が侵入することを抑制することができる。
【０１５３】
また、第１のハウジング領域Ａ１は、筐体１２０で囲まれる空間であるので、第１のハウジング領域Ａ１に虫や埃が侵入することを抑制することができる。
【０１５４】
さらに、本実施の形態における照明装置１において、照明装置１を造営材に取り付けるための取付板４００を備えている。そして、筐体１２０の上部には、筐体１２０の幅方向の外側に庇状に突出する庇部１２１ｃが設けられ、取付板４００は、筐体１２０の裏面側を支持する支持部４１１及び筐体１２０の幅方向の外側にはみ出すはみ出し部４１２を有する第１の板部４１０と、はみ出し部４１２に立設する第２の板部４２０とを有する。そして、照明ユニット１００の長手方向に交差する断面において、第２のハウジング領域Ａ２は、はみ出し部４１２と第２の板部４２０と庇部１２１ｃと筐体１２０の側壁とで囲まれる領域である。
【０１５５】
これにより、断面視における第２のハウジング領域Ａ２の上下左右を囲んで閉じた空間にすることができるので、第２のハウジング領域Ａ２に虫や埃が侵入することを抑制できる。したがって、第２のハウジング領域Ａ２から第１のハウジング領域Ａ１に虫や埃が侵入することを抑制できる。
【０１５６】
さらに、本実施の形態における照明装置１において、筐体１２０は、透光部１２１ａ及び遮光部１２１ｂを有する長尺状のカバー１２１と、カバー１２１に対向する長尺状の基体１２２とを有している。そして、第２のハウジング領域Ａ２には、カバー１２１と基体１２２とを固定するためのネジ１９３のネジ頭が位置している。
【０１５７】
第２のハウジング領域Ａ２を取付作業領域として用いると、第２のハウジング領域Ａ２には虫や埃が侵入してくるが、上述のように、第２のハウジング領域Ａ２に虫や埃が侵入したとしても、隔壁によって第２のハウジング領域Ａ２から第１のハウジング領域Ａ１に虫や埃が侵入することを抑制できる。つまり、第２のハウジング領域Ａ２は、虫や埃の侵入を許容することができる。これにより、第２のハウジング領域Ａ２を取付接続領域（機械接続領域）として利用して、ネジ１９３によってカバー１２１と基体１２２とをねじ止めすることができる。
【０１５８】
また、本実施の形態における照明装置１において、第２のハウジング領域Ａ２には、照明装置１を造営材に取り付けるための取付部材が配置されている。
【０１５９】
これにより、虫や埃の侵入を許容することができる第２のハウジング領域Ａ２を取付部材による取付作業領域（機械接続領域）として利用することができる。
【０１６０】
（変形例）
以上、本発明について、実施の形態に基づいて説明したが、本発明は、上記実施の形態に限定されるものではない。
【０１６１】
例えば、上記実施の形態において、照明ユニット１００の内部空間を第１のハウジング領域Ａ１と第２のハウジング領域Ａ２とに分離する隔壁は、第１の側壁部１２１ｄ及び第２の側壁部１２２ａの両方を用いた２重構造であったが、これに限らない。例えば、照明ユニット１００の内部空間を第１のハウジング領域Ａ１と第２のハウジング領域Ａ２とに分離する隔壁は、第１の側壁部１２１ｄ及び第２の側壁部１２２ａのいずれか一方で構成されていてもよいし、第１の側壁部１２１ｄ及び第２の側壁部１２２ａ以外の構造で構成されていてもよい。
【０１６２】
また、上記実施の形態では、１つの筐体１２０内に１つの発光モジュール１１０を配置したが、これに限らず、１つの筐体１２０内に複数の発光モジュール１１０を配置してもよい。この場合、複数の発光モジュール１１０を発光モジュール１１０の長手方向（基板１１１の長手方向）に沿って隣接するように配置して、隣り合う２つの発光モジュール１１０を電線等によって電気的に接続すればよい。これにより、各発光モジュール１１０を中継して交流電力を順次隣りの発光モジュール１１０に送電することができる。
【０１６３】
また、上記実施の形態において、電源入線用の照明装置２と連結用の照明装置１とを連結したが、これに限らない。例えば、電源入線用の照明装置２と連結用の照明装置１とに加えて、さらに連結用の照明装置１を連結して、３つ以上の照明装置を連結してもよい。これにより、連結用の各照明装置１を中継して交流電力を順次隣りの連結用の照明装置１に送電することができる。なお、電源入線用の照明装置２を用いずに、連結用の照明装置１のみを複数連結してもよい。
【０１６４】
また、上記実施の形態において、第２の連結部２２０は、突出部２２１と爪部２２２とによって構成され、第２の被連結部３２０は、挿入孔３２１と係止穴３２２とによって構成されていたが、これに限らない。例えば、これとは逆に、第２の被連結部３２０が、照明ユニット１００の長手方向に突出する突出部と、当該突出部に設けられた爪部とによって構成され、第２の連結部２２０が、第２の被連結部３２０の突出部が挿入可能な挿入孔と、第２の被連結部３２０の爪部が係止可能な係止穴とによって構成されていてもよい。
【０１６５】
また、上記実施の形態では、第１の連結部２１０をオスコネクタとし、第１の被連結部３１０をメスコネクタとしたが、これに限らない。例えば、第１の連結部２１０をメスコネクタとし、第１の被連結部３１０をオスコネクタとしてもよい。
【０１６６】
また、上記実施の形態では、図５に示すように、照明ユニット１００の長手方向の一方の端部側（第１のエンドカバー１３０側）においては、第１のハウジング領域Ａ１（電気接続領域）における第１の連結部２１０を凸構造（オスコネクタ）とし、第２のハウジング領域Ａ２（機械接続領域）における第２の連結部２２０を凸構造（突出部２２１、爪部２２２）としたが、これに限るものではなく、凸構造及び凹構造の組み合わせは任意である。
【０１６７】
例えば、第１のハウジング領域Ａ１における第１の連結部２１０を凹構造（メスコネクタ）とし、第２のハウジング領域Ａ２における第２の連結部２２０を凸構造（突出部２２１、爪部２２２）としてもよい。また、第１のハウジング領域Ａ１における第１の連結部２１０を凸構造（オスコネクタ）とし、第２のハウジング領域Ａ２における第２の連結部２２０を凹構造（挿入孔３２１、係止穴３２２）としてもよい。また、第１のハウジング領域Ａ１における第１の連結部２１０を凹構造（メスコネクタ）とし、第２のハウジング領域Ａ２における第２の連結部２２０を凹構造（挿入孔３２１、係止穴３２２）としてもよい。
【０１６８】
なお、これらの場合、照明ユニット１００の長手方向の他方の端部側（第２のエンドカバー１４０側）における第１の被連結部３１０及び第２の被連結部３２０の凸構造及び凹構造については、第１の連結部２１０及び第２の連結部２２０の凹構造又は凸構造とは逆の構造（つまり互いに嵌合する構造）になっていればよい。例えば、第１の連結部２１０が凸構造である場合は、第１の被連結部３１０は凹構造であればよいし、第１の連結部２１０が凹構造である場合は、第１の被連結部３１０は凸構造であればよい。同様に、第２の連結部２２０が凸構造である場合は、第２の被連結部３２０は凹構造であればよいし、第２の連結部２２０が凹構造である場合は、第２の被連結部３２０は凸構造であればよい。
【０１６９】
また、上記実施の形態において、発光モジュール１１０は、発光素子１１２としてＳＭＤ型ＬＥＤ素子を用いたＳＭＤタイプであったが、これに限るものではなく、ＣＯＢタイプであってもよい。この場合、発光素子１１２としてＬＥＤチップ（ベアチップ）を用いて、基板１１１に複数のＬＥＤチップを配列し、複数のＬＥＤチップをライン状の封止部材で一括封止又は個別封止すればよい。
【０１７０】
また、上記実施の形態において、発光素子１１２は、ＬＥＤによって構成したが、これに限るものではない。例えば。発光素子１１２としては、半導体レーザ又は有機ＥＬ（Ｅｌｅｃｔｒｏ  Ｌｕｍｉｎｅｓｃｅｎｃｅ）等のその他の固体発光素子を用いてもよい。
【０１７１】
また、上記実施の形態において、回路素子１１５と発光素子１１２とを同一の基板１１１に実装したが、これに限るものではない。例えば、回路素子１１５が実装された基板と発光素子１１２が実装された基板とを別々に分けてもよい。この場合、回路素子１１５が実装された基板（回路基板）と、発光素子１１２が実装された基板（光源基板）とは、横並びで筐体１２０の底部に載置するとよい。
【０１７２】
その他、実施の形態に対して当業者が思いつく各種変形を施して得られる形態や、本発明の趣旨を逸脱しない範囲で実施の形態における構成要素及び機能を任意に組み合わせることで実現される形態も本発明に含まれる。
【符号の説明】
【０１７３】
１、２  照明装置
１００、１００Ａ  照明ユニット
１１０  発光モジュール（光源）
１２０  筐体
１２１  カバー
１２１ａ  透光部
１２１ｃ  庇部
１２２  基体
１３０  第１のエンドカバー
１３１  第１の段差部
１４０  第２のエンドカバー
１４１  第２の段差部
１９３  ネジ
２１０  第１の連結部
２２０  第２の連結部
２２１  突出部
２２２  爪部
３１０  第１の被連結部
３２０  第２の被連結部
３２１  挿入孔
３２２  係止穴
４００  取付板
４１０  第１の板部
４１１  支持部
４１２  はみ出し部
４２０  第２の板部
【図１】
2018185910.tif 000003
【図２】
2018185910.tif 000004
【図３】
2018185910.tif 000005
【図４】
2018185910.tif 000006
【図５】
2018185910.tif 000007
【図６】
2018185910.tif 000008
【図７】
2018185910.tif 000009
【図８】
2018185910.tif 000010
【図９】
2018185910.tif 000011
【図１０】
2018185910.tif 000012